(57)【要約】【課題】取扱説明書の紛失の可能性を極力低減できるパネルメータを提供する。【解決手段】パネルメータの、筐体の裏側、かつコネクタのすぐ上側にスロット溝を設けた。そして、このスロット溝に、柔軟性を有する樹脂で形成される文書ケースを収納する構成とした。文書ケースにパネルメータの取扱説明書等を収納することで、取扱説明書等の紛失事故を防止することができる。【選択図】図１
2018194353.tif 000002
【特許請求の範囲】
【請求項１】
前面側に表示部を内蔵するパネルを有する筐体と、
前記筐体の後面に設けられているスロット溝に着脱可能に挿入され、前記スロット溝に係止する係止突起が両辺に設けられている文書ケースと
を具備するパネルメータ。
【請求項２】
前記文書ケースは中央で屈曲することで、前記文書ケースより小さく折り畳まれた所定の紙片を収納する、
請求項１に記載のパネルメータ。
【請求項３】
前記筐体は、
前面側に前記パネルを有し、透明性を有する樹脂で構成される筐体前面部と、
前記筐体前面部の後ろ側に嵌まり込む筐体後面部と、
前記筐体後面部の後面に嵌合される後面保護板と
を組み立てることで構成され、
前記スロット溝は前記筐体後面部及び前記後面保護板に設けられている、
請求項２に記載のパネルメータ。
【発明の詳細な説明】
【技術分野】
【０００１】
本発明は、任意のパネルに取り付けて、様々な物理量を計測し、表示するパネルメータに関する。
【背景技術】
【０００２】
出願人は、主に工場等の産業設備において、電圧、電流、周波数、回転数等の様々な信号のアナログ値を数値化してデジタル表示するパネルメータを製造販売している。このパネルメータは、ユーザが自身の設備に容易に組み込むことができるように、ネジを使わない固定機構を有している。
【０００３】
特許文献１には、画像形成装置における取扱説明書等の書類を収納する収納容器の技術が開示されている。
【先行技術文献】
【特許文献】
【０００４】
【特許文献１】特開２００７−１４７７０９号公報
【発明の概要】
【発明が解決しようとする課題】
【０００５】
一般的に、電子機器にはユーザが正しく使用するための取扱説明書が添付される。この取扱説明書は、電子機器を使い始めて間もない時期にはユーザにとって非常に重宝されるが、一旦ユーザが電子機器の主要な使用方法や注意点等を把握してしまえば、殆ど利用される機会がなくなる。すると、取扱説明書を紛失してしまう場合があり、電子機器に故障等のトラブルが発生したり、また使用状況を変更したりする場合の必要時に取扱説明書が見つからないことが起こり得る。
【０００６】
本発明はかかる課題を解決し、取扱説明書の紛失の可能性を極力低減できるパネルメータを提供することを目的とする。
【課題を解決するための手段】
【０００７】
上記課題を解決するために、本発明のパネルメータは、前面側に表示部を内蔵するパネルを有する筐体と、筐体の後面に設けられているスロット溝に着脱可能に挿入され、スロット溝に係止する係止突起が両辺に設けられている文書ケースとを具備する。
【発明の効果】
【０００８】
本発明により、取扱説明書の紛失の可能性を極力低減できるパネルメータを提供することができる。
上記した以外の課題、構成及び効果は、以下の実施形態の説明により明らかにされる。
【図面の簡単な説明】
【０００９】
【図１】本発明の実施形態に係るパネルメータの、前面斜視図と、後面斜視図である。
【図２】パネルメータの上面図と背面図である。
【図３】パネルメータから文書ケースを取り外した状態を示す後面斜視図である。
【図４】パネルメータの筐体を分解した状態を示す斜視図である。
【図５】文書ケースを開いた状態の上面図と斜視図である。
【図６】文書ケースに所定の文書を閉じ込める状態を示す斜視図である。
【発明を実施するための形態】
【００１０】
図１Ａは、本発明の実施形態に係るパネルメータ１０１の、前面斜視図である。図１Ｂは、パネルメータ１０１の、後面斜視図である。
図２Ａは、パネルメータ１０１の上面図である。図２Ｂは、パネルメータ１０１の背面図である。
図３は、パネルメータ１０１から文書ケース１０２を取り外した状態を示す後面斜視図である。
図４は、パネルメータ１０１の筐体を分解した状態を示す斜視図である。
【００１１】
図１Ａ及び図４に示すように、パネルメータ１０１の前面には、図示しないＬＥＤ表示器やＬＣＤ表示装置等の表示部が内蔵されるパネル１０３ａが形成されている。このパネル１０３ａは、筐体前面部１０３の一部を構成する。筐体前面部１０３は、ポリカーボネートやＡＢＳ、アクリル等の、硬質かつ透明の樹脂で一体成型され、パネルメータ１０１の筐体１０４の前面側を構成する。パネル１０３ａは、筐体前面部１０３より一回り大きく形成されている。
【００１２】
なお、本発明の実施形態に係る筐体前面部１０３は透明な樹脂で一体成型されているが、前面のパネル１０３ａのみ透明な樹脂で形成し、その他の部分は不透明な樹脂を用いてもよい。すなわち、ユーザがＬＥＤ表示器等の表示部を視認可能であればよいので、少なくともパネル１０３ａだけは透明の樹脂で形成する必要がある。
【００１３】
図１Ａ、図１Ｂ、図２Ａ、図３及び図４に示すように、筐体前面部１０３の上面と図示しない下面には嵌合穴１０３ｂ、１０３ｃが設けられている。この嵌合穴１０３ｂ、１０３ｃには、筐体後面部１０５のラッチ爪１０５ａ、１０５ｂが嵌合される。筐体後面部１０５はポリカーボネートやＡＢＳ、ポリアセタール等の樹脂で形成され、パネルメータ１０１の筐体１０４の後面側を構成する。パネルメータ１０１の筐体１０４は、筐体前面部１０３の後ろ側に筐体後面部１０５が嵌合されることで構成される。
【００１４】
図１Ｂ及び図４に示すように、筐体後面部１０５の後面には、後面保護板１０６が四隅に設けられた嵌合爪（図示せず）によって嵌合される構成となっている。筐体前面部１０３の嵌合穴１０３ｂ、１０３ｃと筐体後面部１０５のラッチ爪１０５ａ、１０５ｂによって、筐体前面部１０３と筐体後面部１０５はネジを使用せずに組み立てることができる。筐体１０４は、筐体前面部１０３、筐体後面部１０５及び後面保護板１０６より構成される。
筐体１０４を構成する部品である筐体前面部１０３、筐体後面部１０５及び後面保護板１０６は、ネジを使用せずにラッチ爪１０５ａ、１０５ｂや嵌合爪を用いて組み立てることから、材料の材質には所定の堅牢性と弾性が求められる。
【００１５】
なお、筐体１０４の両脇には、パネル１０３ａと協働して任意の板等を挟み込む押圧部材１０７、１０８が取り付けられる。板に筐体１０４が通過してパネル１０３ａが通過しない大きさの穴を設けて、押圧部材１０７、１０８とパネル１０３ａで板を挟み込むことで、ネジを用いずにパネルメータ１０１を取り付けることが可能である。また、この押圧部材１０７、１０８はレバー１０７ａ、１０８ａを用いて容易に取り外しが可能である（特許第６１００９６１号）。
【００１６】
図１Ｂ、図３及び図４に示すように、筐体後面部１０５及び後面保護板１０６には、パネルメータ１０１が任意の外部の電子機器と電気的接続を行うための端子が露出する端子穴１０５ｅ、１０６ｅが設けられている。この端子穴１０５ｅ、１０６ｅの上側には、図１Ｂ及び図３に示すように、文書ケース１０２が着脱可能に挿入されるスロット溝１０５ｆ、１０６ｆが設けられている。
【００１７】
図５Ａは、文書ケース１０２を開いた状態の上面図である。図５Ｂは、文書ケース１０２を開いた状態の斜視図である。
図６は、文書ケース１０２に所定の文書を閉じ込める状態を示す斜視図である。
文書ケース１０２は、ポリプロピレンやポリエチレン等の柔軟性を有する樹脂で一体成型される、薄い長方形の形状を有する。なお、文書ケース１０２の機能面として、中に収める文書が容易に判別できるように、文書ケース１０２は透明あるいは半透明であることが好ましい。
【００１８】
図５Ａ、図５Ｂ及び図６に示すように、文書ケース１０２は中心部分の折り曲げ箇所１０２ａで折り曲げることが可能であり、中心の折り曲げ箇所１０２ａを境に、蓋部１０２ｂと底部１０２ｃで構成される。蓋部１０２ｂの両端には、底部１０２ｃの保持爪１０２ｄと噛み合う係止爪１０２ｅが設けられている。底部１０２ｃの両長辺の中心近傍には、係止突起１０２ｆが設けられている。
係止突起１０２ｆの頂点同士の幅は、スロット溝１０５ｆ、１０６ｆの幅より僅かに大きい。そして、文書ケース１０２全体が柔軟性を有する材質で形成されていることで、係止突起１０２ｆは、パネルメータ１０１の筐体後面部１０５に設けられたスロット溝１０５ｆ、１０６ｆ上に設けられた穴に弾性変形を伴って係止する。文書ケース１０２は折り畳んだ状態で、縦５１ｍｍ、横４１ｍｍ、厚み２ｍｍ程度の薄い直方体形状である。
【００１９】
文書ケース１０２には、例えばパネルメータ１０１の取扱説明書が印刷された紙片６０１が収納される。パネルメータ１０１自体が非常に小型であるため、文書ケース１０２も前述のように小型である。したがって、文書ケース１０２に収納される紙片６０１に記載される取扱説明書の内容としては、最低限の使用方法、そしてパネルメータ１０１のｗｅｂ文書のＵＲＬがエンコードされた二次元バーコード等が、小さな紙片６０１に印刷される。紙片６０１は折り畳んだ状態で、文書ケース１０２の大きさよりも一回り小さく形成されることが好ましい。また、文書ケース１０２の容量が許せば、取扱説明書が印刷された紙片６０１の他にユーザが任意の文書を記載した紙片を収納することも可能である。
【００２０】
この文書ケース１０２は、従来技術として挙げた特許文献１に開示される収納容器と、その着想が類似する。特許文献１には、画像形成装置（多機能コピー機）の筐体脇に貼り付けることができる収納容器が開示されている。すなわち、対象となる電子機器のすぐ側に、取扱説明書を収納する収納容器が存在するので、取扱説明書を紛失する可能性を著しく低減することができる。
【００２１】
本発明の実施形態に係るパネルメータ１０１は、特許文献１の多機能コピー機と比べるとその筐体１０４の大きさが大幅に小さい。このため、特許文献１に開示されるような収納容器ではなく、薄くて小さい紙の取扱説明書を折り畳んで収納する文書ケース１０２を作り、この文書ケース１０２を筐体１０４の裏側、かつコネクタのすぐ上側に差し込む構成とした。
また、文書ケース１０２を、柔軟性を有する樹脂で構成すると共に、長辺に係止突起１０２ｆを設けることで、文書ケース１０２がパネルメータ１０１の筐体１０４から抜け落ちる事故を防止することができる。
【００２２】
本発明の実施形態においては、パネルメータ１０１を開示した。
本発明の実施形態のパネルメータ１０１は、筐体１０４の裏側、かつコネクタのすぐ上側にスロット溝１０５ｆ、１０６ｆを設けた。そして、このスロット溝１０５ｆ、１０６ｆに、柔軟性を有する樹脂で形成される文書ケース１０２を収納する構成とした。文書ケース１０２にパネルメータ１０１の取扱説明書等を収納することで、取扱説明書の紛失事故を防止することができる。
【００２３】
以上、本発明の実施形態について説明したが、本発明は上記実施形態に限定されるものではなく、特許請求の範囲に記載した本発明の要旨を逸脱しない限りにおいて、他の変形例、応用例を含む。
【符号の説明】
【００２４】
１０１…パネルメータ、１０２…文書ケース、１０３…筐体前面部、１０４…筐体、１０５…筐体後面部、１０６…後面保護板、１０７、１０８…押圧部材、６０１…紙片
【図１】
2018194353.tif 000003
【図２】
2018194353.tif 000004
【図３】
2018194353.tif 000005
【図４】
2018194353.tif 000006
【図５】
2018194353.tif 000007
【図６】
2018194353.tif 000008